【手続補正書】
【提出日】平成29年10月26日(2017.10.26)
【手続補正１】
【補正対象書類名】特許請求の範囲
【補正対象項目名】全文
【補正方法】変更
【補正の内容】
【特許請求の範囲】
【請求項１】
システム（１００）であって、
時間間隔（ＴNext）によって分けられた血糖測定値（ＢＧ）を測定するグルコメーター（１２４）と、
前記グルコメーター（１２４）と通信する投薬コントローラ（１６０）と、
を備え、
前記投薬コントローラ（１６０）は、データ処理デバイス（１１２）と、当該データ処理デバイス（１１２）と通信する非一時的メモリ（２４、１１４、１４４）と、を含み、  前記投薬コントローラ（１６０）は、
前記グルコメーター（１２４）から患者（１０）の血糖測定値（ＢＧ）を受信し、
患者情報（２０８ａ）を受信し、
前記血糖測定値（ＢＧ）及び前記患者情報（２０８ａ）に基づいて皮下インスリン治療（９００、１１００、１２００、１３００、１４００）の集合から皮下インスリン治療（９００、１１００、１２００、１３００、１４００）を選択し、
前記選択された皮下インスリン治療（９００、１１００、１２００、１３００、１４００）を実行し、
当該選択される皮下インスリン治療（９００、１１００、１２００、１３００、１４００）が、皮下標準プログラム（９００）、食事ボーラスなしの皮下プログラム（１１００）、炭水化物カウントなしの食事毎皮下プログラム（１２００）、炭水化物カウントを伴う食事毎皮下プログラム（１３００）、及び非糖尿病患者のための皮下プログラム（１４００）のうちの１又は２以上を含み、
前記標準皮下プログラム（９００）中に、前記投薬コントローラ（１６０）は、
前記受信された血糖測定値（ＢＧ）の血糖タイプ（ＢＧType）を決定し、かつ、
ＣＢxが、血糖タイプＸに基づく修正投薬量であり、ＢＧxが、前記血糖測定値であり、ＢＧTargetが、患者（１０）のターゲット血糖値であり、ＣＦが、修正係数である場合に、
ＣＢx＝（ＢＧx−ＢＧTarget）／ＣＦ
を計算することにより、前記血糖タイプ（ＢＧType）に基づいて修正インスリン投薬量（ＣＢ）を決定する
ことを特徴とするシステム（１００）。
【請求項２】
前記投薬コントローラ（１６０）は、
ＢＧが、前記血糖測定値であり、ＢＧTargetが、前記患者（１０）のターゲット血糖である場合に、
ＣＢ＝（ＢＧ−ＢＧTarget）／ＣＦ
を計算することによって食事前修正ボーラス（ＣＢ）を決定する、
ことを特徴とする請求項１に記載のシステム（１００）。
【請求項３】
前記投薬コントローラ（１６０）は、
支配血糖値（ＢＧgov）を受信し、かつ
前記受信した支配血糖値（ＢＧgov）に基づいて調節係数（ＡＦ）を決定する、
ことを特徴とする請求項１に記載のシステム（１００）。
【請求項４】
前記投薬コントローラ（１６０）は、
支配血糖値（ＢＧgov）を受信し、
前記支配血糖値（ＢＧgov）が値の閾値範囲内であると決定し、かつ
調節係数（ＡＦ）を前記値の閾値範囲に基づいて事前設定された調節係数（ＡＦ）に設定する、
ことを特徴とする請求項１に記載のシステム（１００）。
【請求項５】
前記投薬コントローラ（１６０）は、
支配血糖値（ＢＧgov）を受信し、
前記支配血糖値（ＢＧgov）が、値の複数の事前設定範囲のうちの１つ内であると決定し、かつ
前記支配血糖値（ＢＧgov）を含む前記事前設定された値範囲に関連付けられた事前設定された調節係数（ＡＦ）に調節係数（ＡＦ）を設定する、
ことを特徴とする請求項１に記載のシステム（１００）。
【請求項６】
前記投薬コントローラ（１６０）は、
ＣＩＲが、炭水化物対インスリン比であり、ＣＩＲPreviousが、以前に決定された炭水化物対インスリン比であり、ＡＦが、前記調節係数（ＡＦ）である場合に、
ＣＩＲ＝（ＣＩＲPrevious）／ＡＦ
を計算することにより、当該調節係数（ＡＦ）に基づいて炭水化物対インスリン比（ＣＩＲ）を決定する、
ことを特徴とする請求項１に記載のシステム（１００）。
【請求項７】
前記血糖タイプは、前記血糖測定値（ＢＧ）を測定する時間に関連付けられた血糖時間に関連付けられ、該血糖タイプ（ＢＧType）は、朝食前血糖測定値（ＢＧBreakfast）、昼食前血糖測定値（ＢＧLunch）、夕食前血糖測定値（ＢＧDinner）、就寝時血糖測定値（ＢＧBedtime）、及び就寝中血糖測定値（ＢＧMidSleep）からなる群から選択され、
前記就寝中、朝食前、昼食前、夕食前、及び就寝時の血糖測定値（ＢＧ）は、毎日の反復交代順番でスケジュールされる、
ことを特徴とする請求項１に記載のシステム（１００）。
【請求項８】
前記投薬コントローラ（１６０）は、
朝食前血糖測定値（ＢＧBreakfast）が前記グルコメーター（１２４）から前記データ処理デバイス（１１２）で受信されたか否かを決定し、かつ
前記朝食前血糖測定値（ＢＧBreakfast）が受信されていた時に、
支配血糖値（ＢＧGov）を以前の就寝中血糖測定値（ＢＧMidsleep）又は前記朝食前血糖測定値（ＢＧBreakfast）のうちの小さい方の値として選択し、
前記選択された支配血糖測定値（ＢＧMidsleep、ＢＧBreakfast）に基づいて当日の推奨基礎投薬量（ＲｅｃＢａｓａｌ）を調節するための調節係数（ＡＦ）を決定し、
前日の就寝時推奨基礎投薬量（ＲｅｃＢａｓａｌprev(last)）を取り出し、かつ
前記調節係数（ＡＦ）を前記前日の就寝時推奨基礎投薬量（ＲｅｃＢａｓａｌprev(last)）に乗算することにより、毎日１、２、又は３回の設定可能な頻度で前記患者（１０）に投与される長時間作用型インスリンのインスリン投薬量に対応する前記当日の推奨基礎投薬量（ＲｅｃＢａｓａｌ）を決定する、
ことを特徴とする請求項１に記載のシステム（１００）。
【請求項９】
前記投薬コントローラ（１６０）は、前記朝食前血糖測定値（ＢＧBreakfast）が受信されていなかった時に、
基礎投薬量推奨（ＲｅｃＢａｓａｌ）を阻止し、かつ
前記朝食前血糖測定値（ＢＧBreakfast）が受信されていなかったこと及び前記阻止された基礎投薬量推奨（ＲｅｃＢａｓａｌ）を示す警告を前記データ処理デバイス（１１２）から前記投薬コントローラ（１６０）と通信するディスプレイ（１１６、１４６）に送信する、
ことを特徴とする請求項８に記載の方法（１６００）。
【請求項１０】
前記投薬コントローラ（１６０）は、
前記グルコメーター（１２４）から朝食前血糖測定値（ＢＧBreakfast）を受信し、
支配血糖値（ＢＧGov）を以前の就寝中血糖測定値（ＢＧMidSleep）及び前記受信された朝食前血糖測定値（ＢＧBreakfast）のうちの一方として選択し、
前記選択された支配血糖測定値（ＢＧMidSleep、ＢＧBreakfast）に基づいて当日の推奨基礎投薬量（ＲｅｃＢａｓａｌ）を調節するための調節係数（ＡＦ）を決定し、
前日の就寝時推奨基礎投薬量（ＲｅｃＢａｓａｌprev(last)）を取り出し、かつ
前記調節係数（ＡＦ）を前記前日の就寝時推奨基礎投薬量（ＲｅｃＢａｓａｌprev(last)）に乗算することによって、毎日１、２、又は３回の設定可能な頻度で前記患者（１０）に投与される長時間作用型インスリンのインスリン投薬量に対応する前記当日の推奨基礎投薬量（ＲｅｃＢａｓａｌ）を決定し、
前記支配血糖値（ＢＧGov）は、前記以前の就寝中血糖測定値（ＢＧMidSleep）が前記朝食前血糖測定値（ＢＧBreakfast）よりも小さい時に当該以前の就寝中血糖測定値（ＢＧMidSleep）として選択され、
前記支配血糖値（ＢＧGov）は、前記以前の就寝中血糖測定値（ＢＧMidSleep）が、３単位のインスリンを超える修正インスリン投薬量（ＣＢ）を伴い、かつ該修正インスリン投薬量（ＣＢ）と前記朝食前血糖測定値（ＢＧGov）の間の経過時間が３時間未満である、ということがない限り、前記朝食血糖測定値（ＢＧBreakfast）が該以前の就寝中血糖測定値（ＢＧMidSleep）よりも小さい時に該朝食前血糖測定値（ＢＧBreakfast）として選択される、
ことを特徴とする請求項１に記載のシステム（１００）。
【請求項１１】
前記投薬コントローラ（１６０）は、前記決定された血糖タイプ（ＢＧType）が、朝食前血糖測定値（ＢＧBreakfast）、昼食前血糖測定値（ＢＧLunch）、又は夕食前血糖測定値（ＢＧDinner）のうちの１つである時に、
次の血糖タイプ（ＢＧType）に関連付けられた次の血糖測定値（ＢＧ）が受信された後に、当該次の血糖測定値（ＢＧ）に基づいて前記決定された血糖タイプ（ＢＧType）に関連付けられた１日のある時間での次の日の推奨食事ボーラス（ＲｅｃＭｅａｌＢｏｌ）を調節するための調節係数（ＡＦ）を決定し、かつ
前記決定された血糖タイプ（ＢＧType）に関連付けられた前記当日の推奨食事ボーラス（ＲｅｃＭｅａｌＢｏｌ）に前記調節係数（ＡＦ）を乗算することにより、前記決定された血糖タイプ（ＢＧType）に関連付けられた１日の前記時間での前記次の日の推奨食事ボーラス（ＲｅｃＭｅａｌＢｏｌ）を決定する、
ことを特徴とする請求項１に記載のシステム（１００）。
【請求項１２】
前記非糖尿病患者のための皮下プログラム（１４００）中に、前記投薬コントローラ（１６０）は、
前記グルコメーター（１２４）から当該投薬コントローラ（１６０）によって受信された閾値（ＬA）よりも小さいか又は等しい各血糖測定値（ＢＧ）に対して、
全ての現在推奨のインスリン投薬量を１未満の値を含む投薬量低減係数によって乗算することにより、新しい現在推奨のインスリン投薬量を決定し、かつ
全ての前記新しい現在推奨のインスリン投薬量の和としてインスリンの合計毎日投薬量（ＴＤＤ）を再計算する、
ことを特徴とする請求項１に記載のシステム（１００）。
【請求項１３】
前記炭水化物カウントなしの皮下食事毎プログラム（１２００）中に、前記投薬コントローラ（１６０）は、
その日を通して使用するための推奨食事ボーラス（ＲｅｃＭｅａｌＢｏｌ）を決定し、かつ
各食事に対して、直前の推奨食事ボーラスに当該直前の推奨食事ボーラス（ＲｅｃＭｅａｌＢｏｌprev）に関連付けられた直前の食事の後で受信された血糖測定値（ＢＧ）によって支配される調節係数（ＡＦ）を乗算することにより、前記食事ボーラス（ＲｅｃＭｅａｌＢｏｌ）を調節する、
ことを特徴とする請求項１に記載のシステム（１００）。
【請求項１４】
前記炭水化物カウントを伴う皮下食事毎プログラム（１３００）中に、前記投薬コントローラ（１６０）は、
その日を通して使用するための炭水化物対インスリン比（ＣＩＲ）を決定し、
各食事に対して、直前の食事に関連付けられた直前の炭水化物対インスリン比（ＣＩＲPrevious）を当該直前の食事の後に受信された血糖測定値（ＢＧ）によって支配される調節係数（ＡＦ）によって除算することにより、前記炭水化物対インスリン比（ＣＩＲ）を調節し、
各食事に関連付けられた炭水化物の量に対して、当該関連の炭水化物の量を当該関連の調節された炭水化物対インスリン比（ＣＩＲ）によって除算することにより、各食事に対る推奨食事ボーラス（ＲｅｃＭｅａｌＢｏｌ）を決定する、
ことを特徴とする請求項１に記載のシステム（１００）。
【請求項１５】
前記投薬コントローラ（１６０）は、前記選択された皮下インスリン治療（９００、１１００、１２００、１３００、１４００）を当該投薬コントローラ（１６０）と通信する投与デバイス（１２３、１２３ａ、１２３ｂ）に送信し、
前記投与デバイス（１２３、１２３ａ、１２３ｂ）は、
投薬器（２２３ａ、２２３ｂ）と、
前記投薬器（２２３ａ、２２３ｂ）と通信し、前記選択された皮下インスリン治療（９００、１１００、１２００、１３００、１４００）を実行する時に、当該投薬器（２２３ａ、２２３ｂ）をして当該選択された皮下インスリン治療（９００、１１００、１２００、１３００、１４００）によって指定されたインスリンを投与させる投与コンピュータデバイス（１１２ａ、１１２ｂ）と、
を含む、
ことを特徴とする請求項１に記載のシステム（１００）。
【請求項１６】
時間間隔（ＴNext）によって分けられた患者（１０）の血糖測定値（ＢＧ）をグルコメーター（１２４）からデータ処理デバイス（１１２）で受信する段階と、
前記データ処理デバイス（１１２）で患者情報（２０８ａ）を受信する段階と、
前記データ処理デバイス（１１２）を使用して、前記血糖測定値（ＢＧ）及び前記情報（２０８ａ）に基づいて皮下インスリン治療（９００、１１００、１２００、１３００、１４００）の集合から皮下インスリン治療（９００、１１００、１２００、１３００、１４００）を選択する段階であって、当該選択される皮下インスリン治療（９００、１１００、１２００、１３００、１４００）が、皮下標準プログラム（９００）、食事ボーラスなしの皮下プログラム（１１００）、炭水化物カウントなしの食事毎皮下プログラム（１２００）、炭水化物カウントを伴う食事毎皮下プログラム（１３００）、及び非糖尿病患者のための皮下プログラム（１４００）のうちの１又は２以上を含む、という段階と、
前記データ処理デバイス（１１２）を使用して、前記選択された皮下インスリン治療（９００、１１００、１２００、１３００、１４００）を実行する段階と、
を備え、
前記皮下標準プログラム（９００）は、
前記データ処理デバイス（１１２）を使用して前記受信した血糖測定値（ＢＧ）の血糖タイプ（ＢＧType）を決定する段階、及び
ＣＢxが、血糖タイプＸに基づく修正投薬量であり、ＢＧxが、前記血糖測定値であり、ＢＧTargetが、患者（１０）のターゲット血糖値であり、ＣＦが、修正係数である場合に、
ＣＢx＝（ＢＧx−ＢＧTarget）／ＣＦ
を計算することにより、前記データ処理デバイス（１１２）を使用して、前記血糖タイプ（ＢＧType）に基づいて修正インスリン投薬量（ＣＢ）を決定する段階、
を含むことを特徴とする方法（１６００）。
【請求項１７】
ＣＢが、前記食事前修正ボーラスであり、ＢＧが、前記血糖測定値であり、ＢＧTargetが、前記患者（１０）のターゲット血糖である場合に、
ＣＢ＝（ＢＧ−ＢＧTarget）／ＣＦ
を計算することにより、前記データ処理デバイス（１１２）を使用して、食事前修正ボーラス（ＣＢ）を決定する段階、
を更に含むことを特徴とする請求項１６に記載の方法（１６００）。
【請求項１８】
前記データ処理デバイス（１１２）で、支配血糖値（ＢＧgov）を受信する段階と、
前記データ処理デバイス（１１２）を使用して、前記受信した支配血糖値（ＢＧgov）に基づいて調節係数（ＡＦ）を決定する段階と、
を更に含むことを特徴とする請求項１６に記載の方法（１６００）。
【請求項１９】
前記調節係数（ＡＦ）を決定する段階は、
前記支配血糖値（ＢＧgov）が値の閾値範囲内である時を決定する段階と、
前記調節係数（ＡＦ）を前記値の閾値範囲に関連付けられた事前設定された調節係数（ＡＦ）に設定する段階と、
を含むことを特徴とする請求項１８に記載の方法（１６００）。
【請求項２０】
前記調節係数（ＡＦ）を決定する段階は、
前記支配血糖値（ＢＧgov）が値の複数の事前設定範囲のうちの１つ内であると決定する段階と、
前記支配血糖値（ＢＧgov）を含む前記事前設定された値範囲に関連付けられた事前設定された調節係数（ＡＦ）に前記調節係数（ＡＦ）を設定する段階と、
を含むことを特徴とする請求項１８に記載の方法（１６００）。
【請求項２１】
前記データ処理デバイス（１１２）を使用して、ＣＩＲが、炭水化物対インスリン比であり、ＣＩＲPreviousが、以前に決定された炭水化物対インスリン比（ＣＩＲ）であり、ＡＦが、前記調節係数（ＡＦ）である場合に、
ＣＩＲ＝（ＣＩＲPrevious）／ＡＦ
を計算することにより、当該調節係数（ＡＦ）に基づいて炭水化物対インスリン比（ＣＩＲ）を決定する段階
を更に含むことを特徴とする請求項１６に記載の方法（１６００）。
【請求項２２】
前記血糖タイプは、前記血糖測定値（ＢＧ）を測定する時間に関連付けられた血糖時間に関連付けられ、当該血糖タイプ（ＢＧType）は、朝食前血糖測定値（ＢＧBreakfast）、昼食前血糖測定値（ＢＧLunch）、夕食前血糖測定値（ＢＧDinner）、就寝時血糖測定値（ＢＧBedtime）、就寝中血糖測定値（ＢＧMidSleep）、及びその他の血糖測定値（ＢＧMisc）からなる群から選択される
ことを特徴とする請求項１６に記載の方法（１６００）。
【請求項２３】
前記データ処理デバイス（１１２）を使用して、朝食血糖測定値（ＢＧBreakfast）が前記グルコメーター（１２４）から該データ処理デバイス（１１２）で受信されたか否かを決定する段階と、
前記朝食血糖測定値（ＢＧBreakfast）が受信されていた時に、
前記データ処理デバイス（１１２）を使用して、支配血糖値（ＢＧGov）を以前の就寝中血糖測定値（ＢＧMidsleep）又は前記朝食血糖測定値（ＢＧBreakfast）のうちの小さい方の値として選択する段階、
前記データ処理デバイス（１１２）を使用して、前記選択された支配血糖測定値（ＢＧMidSleep、ＢＧBreakfast）に基づいて当日の推奨基礎投薬量（ＲｅｃＢａｓａｌ）を調節するための調節係数（ＡＦ）を決定する段階、
前記データ処理デバイス（１１２）により、前日の就寝時推奨基礎投薬量（ＲｅｃＢａｓａｌprev(last)）を取り出す段階、及び
前記データ処理デバイス（１１２）により、前記調節係数（ＡＦ）を前記前日の就寝時推奨基礎投薬量（ＲｅｃＢａｓａｌprev(last)）に乗算することによって、毎日１、２、又は３回の設定可能な頻度で前記患者（１０）に投与される長時間作用型インスリンのインスリン投薬量に対応する当日の推奨基礎投薬量（ＲｅｃＢａｓａｌ）を決定する段階と、
を更に含むことを特徴とする請求項１６に記載の方法（１６００）。
【請求項２４】
前記朝食血糖測定値（ＢＧＢreakfast）が受信されていなかった時に、
前記データ処理デバイス（１１２）を使用して、基礎投薬量推奨（ＲｅｃＢａｓａｌ）を阻止する段階と、
前記阻止された基礎投薬量推奨（ＲｅｃＢａｓａｌ）を示す警告を前記データ処理デバイス（１１２）から該データ処理デバイス（１１２）と通信するディスプレイ（１１６、１４６）に送信する段階と、
を更に含むことを特徴とする請求項２３に記載の方法（１６００）。
【請求項２５】
前記データ処理デバイス（１１２）で、前記グルコメーター（１２４）から朝食血糖測定値（ＢＧBreakfast）を受信する段階と、
前記データ処理デバイス（１１２）を使用して、支配血糖値（ＢＧGOV）を以前の就寝中血糖測定値（ＢＧMidSleep）及び前記受信した朝食血糖測定値（ＢＧBreakfast）のうちの一方として選択する段階と、
前記データ処理デバイス（１１２）を使用して、前記選択された支配血糖測定値（ＢＧMidSleep、ＢＧBreakfast）に基づいて当日の推奨基礎投薬量（ＲｅｃＢａｓａｌ）を調節するための調節係数（ＡＦ）を決定する段階と、
前記データ処理デバイス（１１２）により、前日の就寝時推奨基礎投薬量（ＲｅｃＢａｓａｌprev(last)）を取り出す段階と、
前記データ処理デバイス（１１２）により、前記調節係数（ＡＦ）を前記前日の就寝時推奨基礎投薬量（ＲｅｃＢａｓａｌprev(last)）に乗算することによって、毎日１、２、又は３回の設定可能な頻度で前記患者（１０）に投与される長時間作用型インスリンのインスリン投薬量に対応する当日の推奨基礎投薬量（ＲｅｃＢａｓａｌ）を決定する段階と、
を更に含み、
前記支配血糖値（ＢＧGOV）は、前記以前の就寝中血糖測定値（ＢＧMidSleep）が前記朝食血糖測定値（ＢＧBreakfast）よりも小さい時に当該以前の就寝中血糖測定値（ＢＧMidSleep）として選択され、
前記支配血糖値（ＢＧGov）は、前記以前の就寝中血糖測定値（ＢＧMidSleep）が、３単位のインスリンを超える修正インスリン投薬量（ＣＢ）を伴い、かつ該修正インスリン投薬量（ＣＢ）と前記朝食血糖測定値（ＢＧGov）の間の経過時間が３時間未満である、ということがない限り、前記朝食血糖測定値（ＢＧBreakfast）が該以前の就寝中血糖測定値（ＢＧMidsleep）よりも小さい時に該朝食血糖測定値（ＢＧBreakfast）として選択される、
ことを特徴とする請求項１６に記載の方法（１６００）。
【請求項２６】
前記決定された血糖タイプ（ＢＧType）が、朝食血糖測定値（ＢＧBreakfast）、昼食血糖測定値（ＢＧLunch）、又は夕食血糖測定値（ＢＧDinner）のうちの１つである時に、
次の血糖タイプ（ＢＧType）に関連付けられた次の血糖測定値（ＢＧ）が受信された後に、前記データ処理デバイス（１１２）を使用して、当該次の血糖測定値（ＢＧ）に基づいて前記決定された血糖タイプ（ＢＧType）に関連付けられた１日のある時間での次の日の推奨食事ボーラス（ＲｅｃＭｅａｌＢｏｌ）を調節するための調節係数（ＡＦ）を決定する段階と、
前記データ処理デバイス（１１２）により、前記決定された血糖タイプ（ＢＧType）に関連付けられた前記当日の推奨食事ボーラス（ＲｅｃＭｅａｌＢｏｌ）に前記調節係数（ＡＦ）を乗算することにより、前記決定された血糖タイプ（ＢＧType）に関連付けられた１日の前記時間での前記次の日の推奨食事ボーラス（ＲｅｃＭｅａｌＢｏｌ）を決定する段階と、
を更に含むことを特徴とする請求項１６に記載の方法（１６００）。
【請求項２７】
前記非糖尿病患者のための皮下プログラム（１４００）は、
前記グルコメーター（１２４）から前記データ処理デバイス（１１２）によって受信された閾値（ＬA）よりも小さいか又は等しい各血糖測定値（ＢＧ）に対して、
前記データ処理デバイス（１１２）を使用して、全ての現在推奨のインスリン投薬量を１未満の値を含む投薬量低減係数によって乗算することにより、新しい現在推奨のインスリン投薬量を決定する段階と、
前記データ処理デバイス（１１２）を使用して、全ての前記新しい現在推奨のインスリン投薬量の和としてインスリンの合計毎日投薬量（ＴＤＤ）を再計算する段階と、
を含むことを特徴とする請求項１６に記載の方法（１６００）。
【請求項２８】
前記炭水化物カウントなしの皮下食事毎プログラム（１２００）は、
前記データ処理デバイス（１１２）を使用して、その日を通して使用するための推奨食事ボーラス（ＲｅｃＭｅａｌＢｏｌ）を決定する段階と、
各食事に対して、前記データ処理デバイス（１１２）を使用して、直前の推奨食事ボーラス（ＲｅｃＭｅａｌＢｏｌprev）に当該直前の推奨食事ボーラス（ＲｅｃＭｅａｌＢｏｌprev）に関連付けられた直前の食事の後に受信された血糖測定値（ＢＧ）によって支配される調節係数（ＡＦ）を乗算することにより、前記食事ボーラス（ＲｅｃＭｅａｌＢｏｌ）を調節する段階と、
を含むことを特徴とする請求項１６に記載の方法（１６００）。
【請求項２９】
前記炭水化物カウントを伴う皮下食事毎プログラム（１３００）は、
前記データ処理デバイス（１１２）を使用して、その日を通して使用するための炭水化物対インスリン比（ＣＩＲ）を決定する段階と、
各食事に対して、前記データ処理デバイス（１１２）を使用して、直前の食事に関連付けられた直前の炭水化物対インスリン比（ＣＩＲPrevious）を当該直前の食事の後に受信された血糖測定値（ＢＧ）によって支配される調節係数（ＡＦ）によって除算することにより、前記炭水化物対インスリン比（ＣＩＲ）を調節する段階と、
を含むことを特徴とする請求項１６に記載の方法（１６００）。
【請求項３０】
前記選択された皮下インスリン治療（９００、１１００、１２００、１３００、１４００）を前記データ処理デバイス（１１２）と通信する投与デバイス（１２３、１２３ａ、１２３ｂ）に送信する段階を更に含み、
前記投与デバイス（１２３、１２３ａ、１２３ｂ）は、
投薬器（２２３ａ、２２３ｂ）と、
前記投薬器（２２３ａ、２２３ｂ）と通信し、前記選択された皮下インスリン治療（９００、１１００、１２００、１３００、１４００）を実行する時に、当該投薬器（２２３ａ、２２３ｂ）をして当該選択された皮下インスリン治療（９００、１１００、１２００、１３００、１４００）によって指定されたインスリンを投与させる投与コンピュータデバイス（１１２ａ、１１２ｂ）と、
を含む
ことを特徴とする請求項１６に記載の方法（１６００）。